(57)【要約】【課題】測定針に摺動自在に設けられたストッパを押し下げる機構をクリップホルダに一体的に設け、該クリップホルダを持っている手の指一本でストッパを押し下し得るようにし、もって、ストッパの押下操作を簡易にし、根管長測定作業を容易にする。【解決手段】導電性の根管長測定針１ａをクリップして該根管長測定針の先端が根尖に達したことを電気的に検出し、その時の根管長測定針の根管３内への押入深さを該測定針に摺動自在に設けられたストッパ４に置き換え、該測定針１ａの先端から該ストッパ４までの長さより根管長を測定する。先端部に測定針１ａに接触されるクリップ部６ａを有する測定電極線と、該測定電極線が挿通される測定針クリップホルダ筒１１とから成り、該測定針クリップホルダ筒１１は、該ホルダ筒１１に直交する上下方向に該ホルダ筒１１を貫通して移動する操作バー３０を有し、該操作バー３０の下端にはストッパ４の上面に当接して該ストッパを下方に押し下げるストッパ押し下げ部材３２を有する。【選択図】図１
2012055459.tif 000002
【特許請求の範囲】
【請求項１】
導電性の根管長測定針をクリップして前記根管長測定針の先端が根尖に達したことを電気的に検出し、その時の前記根管長測定針の根管内への押入深さを該測定針に摺動自在に設けられたストッパに置き換え、該測定針の先端から該ストッパまでの長さより根管長を測定する歯科用根管長測定装置において、先端部に前記測定針に接触されるクリップ部を有する測定電極線と、該測定電極線が挿通される測定針クリップホルダ筒とから成り、該測定針クリップホルダ筒は、該ホルダ筒に直交する上下方向に該ホルダ筒を貫通して移動する操作バーを有し、該操作バーの下端には前記ストッパの上面に当接して該ストッパを下方に押し下げるストッパ押し下げ部材を有することを特徴とする歯科用根管長測定装置。
【請求項２】
前記操作バーを常時上方に押し上げるばね部材を有し、該操作バーは該ばねの伸張力に抗して押し下げられることを特徴とする請求項１に記載の歯科用根管長測定装置。
【発明の詳細な説明】
【技術分野】
【０００１】
本発明は、歯利用根管長測定装置、より詳細には、導電性の根管長測定針をクリップして前記根管長測定針の先端が根尖に達したことを電気的に検出し、その時の前記根管長測定針の根管内への押入深さを、該測定針に摺動自在に設けられたストッパを歯冠に当たる位置まで押し下げて、測定針の先端から該ストッパまでの長さに置き換えて計測するようにした歯利用根官長測定装置において、前記ストッパを押し下げる機構を根管長測定具に一体的に設け、該ストッパの押し下げ作業を簡易にかつ容易に行えるようにした歯利用根管長測定装置に関する。
【背景技術】
【０００２】
根管治療においては、根管治療に際し、根管長測定針を根管内に挿入し、その先端が根尖孔の位置に到達したことを検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測して根管長を求めている。
【０００３】
図２は、従来の根尖孔位置検出装置の一例を説明するための要部構成図で、図中、１は根尖孔位置（又は根管長）測定針（リーマ又はファイル）、２は根尖孔位置（又は根管長）を測定しようとする歯牙、３は根管、４は測定針１に軸方向に移動可能に設けられたストッパ、５は口唇、６ａは測定針１をクリップする測定電極、７は測定電極６ａに対する対向電極、８は測定電極６ａに連通する測定電極用リード線、９は口唇５に引っかけられた対向電極７に連通する対向電極用リード線、１０は先端部に前記電極６ａを有する測定電極線６（図４参照）を収納した測定針クリップホルダ、２０は前記リード線８，９が接続された根管長測定器、２１は根尖孔位置検出表示部で、周知のように、測定針（ファイル又はリーマ）１に測定電極６ａを接触させた状態で、測定針１を根管３内に挿入していった時の根尖孔位置検出表示部２１の指針位置より測定針１の先端が根尖孔位置に達したことを知り、その状態でストッパ４を歯牙２の歯冠に当たる位置まで動かし、その状態で測定針１を口腔外に取り出し、物差しで該測定針１の先端からストッパ４までの長さを測定するものである（例えば、特許文献１参照）。表示部２１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特許文献２をはじめ、多数の公報が公開されているので、その詳細については省略する）。
【０００４】
図３は、図２に示した測定針クリップホルダ１０の使用例を説明するための図、図４は、図３に示した測定針クリップホルダ１０の断面構成図で、図中、１０はリーマ又はファイル等の根管長測定針１を測定電極６ａと協働してクリップする先端部を有する測定針クリップホルダで、周知のように、根管長測定針１は、導電性の針部材１ａ，刃部１ｂ，把持部１ｃ等から成り、リーマ又はファイルから成る測定針１を用いて根管を拡大しながら根管長を測定できるもので、根管長を測定する場合、ラバーストッパ４と把持部１ｃの間を測定電極６ａで保持し、測定針１を電気的根管長測定の際の一方の電極の信号取り付け部としている。この電気的な根管長の測定により、根管長が検出できたら、ラバーストッパ４を移動させて、根管長を測定針１のラバーストッパ４の位置に移して読んでいた。
【０００５】
測定電極線６は、図４に示すように、絶縁性の測定針クリップホルダ筒１１内に挿通され、その端部は、機械的には、押圧部材１２に固定され、電気的にはリード線８に接続され、該リード線８を通して図２に示した根管長（根尖位置）測定器２０に導かれている。一方、ホルダ筒１１の端部１１ａは大径に形成され、この大径部１１ａ内にスプリング１３が挿入されている。従って、押圧部材１２を矢別Ａ方向に押すと、スプリング１３が圧縮され、測定電極線６が矢印Ａ′方向に移動し、従って、ホルダ筒１１の先端部１１ｂと測定電極線６の先端の電極部６ａとの間に測定針１を挿入することができ、押圧部材１２の押圧力を解除すると、測定電極線６は、スプリング１３の復元力によって矢印Ｂ′方向に移動し、従って、図４に示したように、ホルダ筒１１の先端部１１ｂと測定電極線６の測定電極６ａとの間に測定針１ａを狭持（クリップ）することができる。
【先行技術文献】
【特許文献】
【０００６】
【特許文献１】特開２００８−６８０１５号公報
【特許文献２】特公昭６２−２１８７号公報
【発明の概要】
【発明が解決しようとする課題】
【０００７】
上述のごとき根管長測定を行うに際し、根管長測定の先端が根尖に達したことを検知した後、術者は、指或いはピンセットを用いて、ストッパ４を歯冠位置まで押し下げているが、その際、一方の手にクリップホルダを持っているため、他方の手でストッパを押し下げなければならず、その操作が大変であった。
【０００８】
本発明は、上述のごとき実情に鑑みてなされたもので、前記ストッパを押し下げる機構を測定針クリップホルダに一体的に設け、該クリップホルダを持っている手の指一本でストッパを押し下げ得るようにし、もって、ストッパの押下操作を簡易にし、根管長測定作業を容易にすることを目的にしてなされたものである。
【課題を解決するための手段】
【０００９】
上記課題を解決するために、請求項１の発明は、導電性の根管長測定針をクリップして前記根管長測定針の先端が根尖に達したことを電気的に検出し、その時の前記根管長測定針の根管内への押入深さを該測定針に摺動自在に設けられたストッパに置き換え、該測定針の先端から該ストッパまでの長さより根管長を測定する歯科用根管長測定装置において、先端部に前記測定針に接触されるクリップ部を有する測定電極線と、該測定電極線が挿通される測定針クリップホルダ筒とから成り、該測定針クリップホルダ筒は、該ホルダ筒に直交する上下方向に該ホルダ筒を貫通して移動する操作バーを有し、該操作バーの下端には前記ストッパの上面に当接して該ストッパを下方に押し下げるストッパ押し下げ部材を有することを特徴としたものである。
【００１０】
請求項２の発明は、請求項１の発明において、前記操作バーを常時上方に押し上げるばね部材を有し、該操作バーは該ばねの伸張力に抗して押し下げられることを特徴としたものである。
【発明の効果】
【００１１】
本発明によると、ストッパを押し下げる機構をクリップホルダに一体的に設け、該クリップホルダを持っている手の指一本でストッパを押し下げ得るようにし、もって、ストッパの押下操作を簡易にし、根管長測定作業を容易にすることを目的にしてなされたものである。
【図面の簡単な説明】
【００１２】
【図１】本発明による歯科用根管長測定装置の一例を説明するための図である。
【図２】従来の歯科用根管長測定装置の一例を説明するための要部構成図である。
【図３】図２に示した測定針クリップホルダ１０の使用例を説明するための図である。
【図４】図３に示した測定針クリップホルダ１０の断面構成図である。
【発明を実施するための形態】
【００１３】
図１（Ａ）において、３０は本発明によって付加されたストッパ押し下げ用操作バーで、該バー３０は、測定針クリップホルダ筒１１の先端部において、該ホルダ筒１１を該ホルダ筒１１の軸方向に直交する上下方向に移動可能に貴通して設けられ、その上端部には該バー３０を押下するのに好適な平上面を有するバー操作部材３１が、下端部には該バー操作部材３１が押下されてバー３０が下方に移動した時に、ストッパ４の上面に当接して該ストッパ４を下方に押し下げるストッパ押し下げ部材３２が設けられている。従って、前述のようにして、根尖位置が検出された時に、バー操作部材３１を押下してストッパ押し下げ部材３２にてストッパ４を歯冠位置まで押し下げることができる。
【００１４】
なお、測定針１を測定針クリップホルダ筒１１に装着する際に、ストッパ押し下げ部材３２がストッパ４の下方に位置したのでは所期の目的を達成することができないので、ストッパ押し下げ部材３２はできるだけストッパ４の上方に位置するようにした方が使い勝手がよい。そのため、例えば、図１（Ｂ）に断面にて示すように、ホルダ筒１１とバー操作部材３１との間にばね４０を介装し、該ばね４０によってストッパ押し下げ部材３２がストッパ４の上方に位置するようにするとよい。
【符号の説明】
【００１５】
１…根官長測定針、４…ストッパ、１０…測定針クリップホルダ、１１…ホルダ筒、３０…ストッパ押し下げ用バー、３１…バー操作部材、３２…ストッパ押し下げ部材、４０…ばね。
【図１】
2012055459.tif 000003
【図２】
2012055459.tif 000004
【図３】
2012055459.tif 000005
【図４】
2012055459.tif 000006
【手続補正書】
【提出日】平成22年9月8日(2010.9.8)
【手続補正２】
【補正対象書類名】明細書
【補正対象項目名】０００１
【補正方法】変更
【補正の内容】
【０００１】
本発明は、歯科用根管長測定装置、より詳細には、導電性の根管長測定針をクリップして前記根管長測定針の先端が根尖に達したことを電気的に検出し、その時の前記根管長測定針の根管内への押入深さを、該測定針に摺動自在に設けられたストッパを歯冠に当たる位置まで押し下げて、測定針の先端から該ストッパまでの長さに置き換えて計測するようにした歯科用根管長測定装置において、前記ストッパを押し下げる機構を根管長測定具に一体的に設け、該ストッパの押し下げ作業を簡易にかつ容易に行えるようにした歯科用根管長測定装置に関する。
【手続補正３】
【補正対象書類名】明細書
【補正対象項目名】００１５
【補正方法】変更
【補正の内容】
【００１５】
１…根管長測定針、４…ストッパ、１０…測定針クリップホルダ、１１…ホルダ筒、３０…ストッパ押し下げ用バー、３１…バー操作部材、３２…ストッパ押し下げ部材、４０…ばね。